(57)【特許請求の範囲】
【請求項１】
洋風便器の後部上面に設置される便座ボックスにおいて、底面の左端側が左端に向って下り勾配となっており、右端側が右端に向って下り勾配となっていることを特徴とする便座ボックス。
【請求項２】
請求項１において、前記下り勾配となっている左端側及び右端側の底面に弾性材料層が設けられていることを特徴とする便座ボックス。
【請求項３】
請求項１において、前記下り勾配となっている左端側及び右端側の底面が凹凸面となっていることを特徴とする便座ボックス。
【請求項４】
洋風便器の後部上面に請求項１ないし３のいずれか１項に記載の便座ボックスを設置した構造であって、
下り勾配となっている前記左端側及び右端側の底面がそれぞれ洋風便器の左端側及び右端側の角縁部に当接していることを特徴とする便座ボックスの設置構造。
【発明の詳細な説明】
【０００１】
【発明の属する技術分野】
本発明は、洋風便器の上面に設置され、ボルトによって係止される便座ボックスとその設置構造に係り、特に、洋風便器に設置されたときのガタツキを防止するよう改良された便座ボックスとその設置構造に関する。
【０００２】
【従来の技術】
洋風便器に温水洗浄装置を設置する場合に、便鉢の後部上面に便座ボックスを設置することが多い。この便座ボックス内に温水を噴出するためのノズル及び温水供給機構が組み込まれると共に、さらに温風乾燥機構、脱臭機構などが組み込まれることもある。この便座ボックスに便座や、通常は更に便蓋が上下方向回動自在に取り付けられる。この便座ボックスの洋風便器への従来の取付構造について図２，３，４を参照して説明する。なお、図２は全体図、図３は便座ボックスの底部斜視図、図４は図３のIV−IV線に沿う断面図である。
【０００３】
便座ボックス１の底部プレート２に洋風便器４の前後方向に延在するスリット３が２条平行に設けられている。このスリット３にボルト５の頭部が差し込まれる。なお、スリット３は、後端側に拡幅部３ａを備えており、ボルト５の頭部５ａが該拡幅部３ａを通って底部プレート２の上側に挿入され、ボルト５の螺子棒部５ｂが該スリット３を通って下方に延出される。
【０００４】
洋風便器４の便鉢４ａの後方部には、このボルト５の螺子棒部５ｂを通すためのボルト挿通孔４ｂが２個設けられている。平パッキン６を介してボルト５を該ボルト挿通孔４ｂに通し、半球パッキン８及びスリップワッシャ９を介してナット１０を該ボルト５に装着する。便座ボックス１に装着された便座１１の前端が図５の如く洋風便器４の前端から５〜２０ｍｍ程度突出するように便座ボックス１の前後位置を調整してから該ナット１０を締め込み、便座ボックス１を洋風便器４に固定する。
【０００５】
この便座ボックス１には、便蓋１２も上下方向回動自在に取り付けられている。この便座ボックス１の内部に温水噴射ノズル等の機構が設置されている。
【０００６】
【発明が解決しようとする課題】
便座ボックスは合成樹脂の射出成形品よりなるため寸法精度はきわめて高いが、洋風便器は陶器すなわち焼き物よりなり、寸法精度は便座ボックスに比べるとかなり低い。そして、洋風便器の後部上面の平坦度も、便座ボックスの底面に比べるとかなり低い。そのため、上記のボルト５にナット１０を強く締め込んでも便座ボックスにガタツキが生じることがある。
【０００７】
本発明は、便座ボックスのガタツキを解消する便座ボックスとその設置構造を提供するものである。
【０００８】
【課題を解決するための手段】
本発明の便座ボックスは、洋風便器の後部上面に設置される便座ボックスにおいて、底面の左端側が左端に向って下り勾配となっており、右端側が右端に向って下り勾配となっていることを特徴とするものである。
【０００９】
この便座ボックスは、左右の下り勾配の底面を洋風便器の左右の角縁部に当接させるようにして洋風便器上に設置される、そうすると、洋風便器の後部上面に不陸があっても、便座ボックスの左端側及び右端側が必らず洋風便器の角縁部に当接して固定されるので、便座ボックスにガタツキが生じない。
【００１０】
この便座ボックスの左右の下り勾配の底面にゴムなどの弾性材料層を設けるか又は該底面を凹凸面とすると、該底面と洋風便器の角縁部との摩擦抵抗が大きくなり、便座ボックスの取付けを一層堅固なものとすることができる。
【００１１】
【発明の実施の形態】
以下、図面を参照して実施の形態について説明する。図１（ａ）は実施の形態に係る便座ボックスを底面側から見た斜視図、図１（ｂ）はこの便座ボックスを洋風便器に取り付けた状態における図１（ａ）のＢ−Ｂ線に沿う断面図である。
【００１２】
この便座ボックス１Ａも、前記従来の便座ボックス１と同じく、底部プレート２Ａにスリット３が設けられている。このスリット３内にボルト５の頭部を差し込み、このボルト５を洋風便器４のボルト挿通孔４ｂ（図１では図示略）に通し、半球パッキン８、スリップワッシャ９を介してナット１０（いずれも図１では図示略）を該ボルト５に締め込むことにより、便座ボックス１Ａが洋風便器４に固定される。この便座ボックス１Ａに便座１１と便蓋１２が上下方向回動可能に取り付けられている。
【００１３】
この実施の形態では、底部プレート２Ａの左端側２Ｌ及び右端側２Ｒ（なお、左右は、洋風便器上の便座ボックスに正規姿勢にて着座した人から見て左側及び右側をいう。）は、便座ボックス１Ａの左端及び右端に向って下り勾配となっている。
【００１４】
この底部プレート２Ａの下り勾配の部分にゴム層２０が設けられている。このゴム層２０は、ゴムシートを接着剤や粘着剤で貼ったものが好適であるが、ゴムを焼き付けたものであってもよい。
【００１５】
このゴム層２０を有した下り勾配の部分を洋風便器４の左端側及び右端側の角縁部４ａに当接させ、ボルト５にナット１０を強く締め込むことにより、便座ボックス１Ａが洋風便器４に堅固に固定される。ボルト５にナット１０を締め込むと、スリット３の近傍が洋風便器４の上面に引き付けられ、また左端側２Ｌ及び右端側２Ｒの下り勾配部分も角縁部４ａに押し付けられる。そのため、洋風便器４の上面に不陸があっても、便座ボックス１Ａは洋風便器４にガタツキなくしっかりと固定される。
【００１６】
上記実施の形態では底部プレート２Ａの下り勾配部分にゴム層２０が設けられているが、この下り勾配部分を凹凸面としてもよい。
【００１７】
上記実施の形態では便座ボックス１Ａにゴム層２０を設けているが、洋風便器４の角縁部４ａにゴムシートを貼り付けてもよい。このゴム層やゴムシートの代わりにゴム以外の弾性材料の層やシートを用いてもよい。
【００１８】
上記底部プレート２Ａの下り勾配以外の部分の少なくとも一部にスポンジパッキンを貼着してもよい。
【００１９】
【発明の効果】
以上の通り、本発明によると、便座ボックスをガタツキなしに洋風便器に取り付けることができる。
【図面の簡単な説明】
【図１】実施の形態を示す斜視図と断面図である。
【図２】従来の便座ボックスの取付状況を示す斜視図である。
【図３】従来の便座ボックスの底部斜視図である。
【図４】図３のIV−IV線断面図である。
【符号の説明】
１，１Ａ  便座ボックス
２，２Ａ  底部プレート
２Ｌ  左端側
２Ｒ  右端側
３  スリット
４  洋風便器
４ａ  角縁部
５  ボルト
８  半球パッキン
９  スリップワッシャ
１０  ナット
２０  ゴム層
【図１】
0003758559.tif 000002
【図２】
0003758559.tif 000003
【図３】
0003758559.tif 000004
【図４】
0003758559.tif 000005